(57)【要約】【課題】動物の呼気を測定するための収集装置について、能率がよく、かつ衛生的な収集が可能な呼気収集装置を提供する。【解決手段】  呼気収集カバー１と呼気収集バッグ２を備える。呼気収集カバー１は、中空のケース１０に孔１１１が開いたシリコンゴム１１を固定する。シリコンゴム１１は、リング状部材１２を被せて仮止めされている。また、クランプ１４をリング状部材１２の突起部とケース１０の突起部にかけて、シリコンゴム１１をケース１０に付勢して、シリコンゴム１１を挟持する。動物９９９にシリコンゴム１１が線９９８の位置で当接するよう、動物９９９にケース１０を被せる。呼気収集バッグ２には、袋２１を備え、酸素をストップコック２２の酸素ボンベ側２２３から注入する。【選択図】図１
2007175149.tif 000002
【特許請求の範囲】
【請求項１】
開口面の周囲に縁部を有する開口部と、該開口部以外の箇所に設けた空気孔と、を有する中空状のケースと、
前記開口部の縁部の外側に被せられ、前記開口部の略中央に動物の鼻口部の形状にあわせて開口した孔が設けられた弾性体のシートと、
さらに前記シートの上から被せられ、前記シートを前記ケースの縁部に圧接して挟持するリング状部材と、
前記リング状部材を前記ケース側に押し付けて、前記シートを挟持するシート挟持手段と、
酸素を含む気体を密閉する袋と、
前記ケースの空気孔と前記袋との間で前記気体の接続を可能にする空気接続手段と、を備える呼気収集装置。
【請求項２】
前記シートは、シリコンゴムである、請求項１に記載の呼気収集装置。
【請求項３】
前記シート挟持手段は、
前記ケースおよび前記リング状部材の互いに対向する位置に設けられた複数対の突起部と、
前記突起部間を結ぶ弾性部材を備える、請求項１〜２のいずれかに記載の呼気収集装置。
【請求項４】
前記ケースに設けた空気孔は、該空気孔の開口面の周囲に、前記ケースの内部へ突き出たつば部が設けられている、請求項１〜３のいずれかに記載の呼気収集装置。
【請求項５】
さらに、前記ケースの空気の容積を小さくする部材を、前記ケースの内部に着脱可能に備える、請求項１〜３のいずれかに記載の呼気収集装置。
【請求項６】
前記中空状のケースおよび前記シートは、透明または半透明である、請求項２に記載の呼気収集装置。
【発明の詳細な説明】
【技術分野】
【０００１】
本発明は、動物の呼気を収集して、健康状態を判断する呼気収集装置に関する。
【背景技術】
【０００２】
従来、人間、動物の呼気を収集して、その呼気に含まれるＨ２やＣＨ４等を分析して健康状態を判断することが行なわれている（例えば、特許文献１〜３参照。非特許文献１）。呼気による検査であれば、体への負担も少なく、容易に検査できる利点がある。
【０００３】
特許文献１には、円筒形のチューブを用いた呼気収集装置が開示されている。
【０００４】
特許文献２には、牝牛等の鼻輪に取り付けたセンサによって、呼気中のアセトン、ＣＯ２、Ｈ２Ｏの含有量を測定する旨の記載がある。
【特許文献１】特表平８−５１０９４８号公報
【特許文献２】特表２００２−５４１８６６号公報
【非特許文献１】Measurementfor Breath Concentration of Hydrogen and Metheane in Horses / NaokiSASAKI,Seiji HOBO and Toyohiko YOSHIHARA/J. Vet. Med. Sci.61(9): 1059-1062,1999
【発明の開示】
【発明が解決しようとする課題】
【０００５】
しかしながら、特許文献１では、動物の呼気を測定するための収集装置としては、不十分であると考えられる。即ち、収集装置の入り口部分として、単にシリンダ状のチューブを備えただけでは、動物の鼻口部の形状が立体的であること、動物の唾液が流れるゆえ、衛生面に配慮する必要があることなどの問題があった。
【０００６】
特許文献２では、牝牛等の鼻輪に取り付けたセンサで直接呼気をセンサに当てて、測定するものであるが、通過する呼気をそのまま測定するものであり、濃度が十分でないと考えられる。
【０００７】
以上の問題のほかに、動物とは意思の疎通ができず、空気の吐き出し・吸引のタイミングと、収集装置の動作を合わせるといった器用な測定はできないことから、動物の呼気を収集するためには、能率のよい測定をするための特別の構成が必要であった。
【０００８】
そこで、本発明は、動物の呼気を測定するための収集装置について、能率がよく、かつ衛生的な収集が可能な呼気収集装置を提供することを目的とする。
【課題を解決するための手段】
【０００９】
本発明は以下のとおり構成している。
【００１０】
（１）本発明は、
開口面の周囲に縁部を有する開口部と、該開口部以外の箇所に設けた空気孔と、を有する中空状のケースと、
前記開口部の縁部の外側に被せられ、前記開口部の略中央に動物の鼻口部の形状にあわせて開口した孔が設けられた弾性体のシートと、
さらに前記シートの上から被せられ、前記シートを前記ケースの縁部に圧接して挟持するリング状部材と、
前記リング状部材を前記ケース側に押し付けて、前記シートを挟持するシート挟持手段と、
酸素を含む気体を密閉する袋と、
前記ケースの空気孔と前記袋との間で前記気体の接続を可能にする空気接続手段と、を備える。
【００１１】
このように構成すれば、以下の効果が生じる。
【００１２】
（ａ）シートは、弾性体であるから、動物の鼻口部に凹凸があったとしても容易に密着させることができる。
（ｂ）ケースを動物の鼻口部より大きくしておけば、シートの孔の大きさを容易に加工できるので、どのような動物にも容易に対応できる。動物の鼻口部の形状は、人間のそれに比べて突き出ており、立体的であるから、この形状に合わせて呼気を漏れなく収集する点が難しいが、それぞれの動物の立体的な形状に合わせて、呼気収集装置を大きく変える必要がない。したがって、動物の個体の変化に対応して、能率よく呼気を収集できる。
【００１３】
（ｃ）リング状部材で前記シートを前記ケースに密着して挟持した上で、シート挟持手段は、前記リングを前記ケース側に押し付けて、前記シートを挟持しているから、動物にケースを被せたり、外したりする作業を繰り返しても、シートが外れることが少ない。したがって、動物にケースを被せたり、外したりする作業を能率よく行うことができる。
【００１４】
（ｄ）前記シートの上から被せることにより、前記シートを前記ケースに圧接して挟持し、シート挟持手段は、前記リングを前記ケース側に押し付けて挟持しているだけだから、（ｃ）のとおり、シリコンゴム１１を保持できるにもかかわらず、容易に呼気収集装置を解体できる。容易に解体できるから、掃除がしやすく、衛生的である。また、以前測定した動物の唾液のにおいで、次の動物の測定に影響が出るおそれがあるが、掃除がしやすいので、容易にこれをふき取ることができるから、次の動物の測定の準備を能率よく行うことも可能となる。
【００１５】
一方、発明者の試行錯誤によれば、ケースにシートを張り、単に輪ゴムで固定しただけでは、シートに、動物の鼻口部を抜き差しすることにより容易に外れてしまい、能率が悪かった。一方、シートをケースに粘着テープでぐるぐる巻きにして固定すれば、シートをケースに固定することができるものの、シートを外すことが容易でなく、ケース内部にたまった唾液を掃除することが困難であった。また、掃除がしにくいからといって掃除を怠れば、衛生的でないだけでなく、他の動物の測定をする場合に、以前測定した動物によりたまった唾液のにおいにより、次の動物の個体の測定に影響が出る恐れがあった。
【００１６】
（ｅ）前記ケース内に唾液をためることができるので、唾液を呼気と分離することができる。したがって、掃除がしにくい前記袋に直接唾液が入ったりすることが少ない。また、前記（ｄ）のとおり掃除がしやすい。したがって、呼気収集装置を衛生的に保つことができる。また、以前測定した動物の唾液のにおいの影響により誤った測定結果が出る恐れを回避できる。
【００１７】
（ｆ）以上のとおり、本発明は、動物の呼気を能率よく、衛生的に収集することができる。
【００１８】
なお、「開口面の周囲に縁部を有する開口部」の縁部は、リング状部材とで挟持するためにあり、必ずしも他の部分と区別できるような縁部でなくてもよく、例えば、図３に示すように、単に円筒形のケースに開口している開口部でも良い。
また、開口部の形状は、前記シートを被せることができるものであれば、形状は問わない。例えば、丸、四角、多角形等が考えられる。
また、シート挟持手段は、例えば、後述（３）の構成にすることができる。また、リングをはめ込むと、当接する部分が落ち込んでロックする構造により、前記シートを前記ケースに圧接して挟持するものでもよい。また、ねじ切り溝に沿って、ねじり入れるガイドを備えるものや、さらにはこのガイドに沿って回転させるとロックがかかる構造を備えるものであっても良い。
また、空気接続手段は、例えば、ホースや、中空部材などが考えられるが、空気孔と前記袋との間で前記気体の接続を可能にするものであればよい。
また、酸素を含む気体とは、空気であっても良い。
【００１９】
（２）本発明は、
前記シートは、シリコンゴムである。
【００２０】
このように構成すれば、シリコンゴムは、発明者の材料選択によれば、柔軟性があり、かつ、強度が高いので、動物の個体の変化に柔軟に対応でき、耐久性がある。したがって、（１）に増して、能率よく呼気の収集が可能となる。
【００２１】
（３）本発明は、
前記シート挟持手段は、
前記ケースおよび前記リング状部材の互いに対向する位置に設けられた複数対の突起部と、
前記突起部間を結ぶ弾性部材を備える。
【００２２】
本発明は、前記シート挟持手段の具体例である。前記ケースおよび前記リング状部材の、互いに対向する位置に設けられた複数対の突起部同士を弾性部材で結ぶことにより、前記ケースおよび前記リング状部材との間で、シートを挟み込む挟持力が働き、シートをケースの方に押し付ける作用が生じる。
【００２３】
なお、前記突起部間を結ぶ弾性部材は、例えば、後述図２で示すような、リング状のクランプ１４でもよいし、また、輪ゴムであってもよい。また前記突起部間を結ぶ方法は、突起部に引っ掛け部分を設けて、これら弾性体を引っ掛けることが考えられる。
【００２４】
（４）本発明は、
前記ケースに設けた空気孔は、該空気孔の開口面の周囲に、前記ケースの内部へ突き出たつば部が設けられている。
【００２５】
このように構成すれば、つば部の段差により、気体を密閉できる袋に唾液が入る可能性を小さくすることができ、衛生的に保つことができる。
【００２６】
（５）本発明は、
さらに、前記ケースの空気の容積を小さくする部材を前記ケースの内部に着脱可能に備える。
【００２７】
肺活量の少ない小動物に呼気収集装置を使用する場合には、前記ケースの空気の容積が大きければ、ケースに呼気がとどまり、前記袋まで呼気が届かないので、前記袋から呼気を収集する場合には呼気をほとんど収集できない問題がある。本発明によれば、前記ケースの空気の容積を小さくする部材を前記ケース内部に着脱可能に備えているので、動物の個体の変化に対応して、能率よく呼気を収集できる。
【００２８】
なお、この容積を小さくする部材は、例えば空気袋でも良く中実の物でも良い。
【００２９】
（６）本発明は、
前記中空状のケースおよび前記シートは、透明または半透明である。
【００３０】
本発明は、前記中空状のケースおよび前記シートを透明または半透明にしているので、動物の呼吸の様子が確認でき、能率よく呼気を収集できる。
【発明の効果】
【００３１】
本発明によれば、動物の呼気収集装置について、動物の呼気を能率よく、衛生的に収集することができる。
【発明を実施するための最良の形態】
【００３２】
＜本実施形態の呼気収集装置の概要説明＞
図１を用いて、本実施形態の呼気収集装置の概要について説明する。図１は、本実施形態の呼気収集装置の全体構成図である。本実施形態の呼気収集装置は、動物９９９の呼気を収集して、その呼気の中のＣＨ４、Ｈ２等を収集し、動物９９９の健康状態を判断する装置であり、この呼気の収集方法に特徴がある。図１に示すように、本実施形態の呼気収集装置は、動物９９９に密着できる呼気収集カバー１と、呼気収集バッグ２を備えている。呼気収集バッグ２の袋２１には酸素が入れられている。なお、図１のひだ１１２は、ケース１０の内部にあるのではなく、シリコンゴム１１（後述図２参照。）がリング状部材１２により成形され、その外側の余った部分を示している。
【００３３】
図１に示す呼気収集装置の使用方法は、以下のとおりである。即ち、呼気収集カバー１の中空のケース１０を、動物９９９の鼻と口に、線９９８の位置まで被せる。ケース１０には弾性体のシリコンゴム１１が張られており、孔１１１が伸び縮みすることにより、動物９９９の鼻、口に密着させることができる。そして、呼気収集カバー１のホース１５と呼気収集バッグ２のホース２３を接続する。その後３０秒程度経過すると、動物９９９の呼吸により、この酸素と動物９９９の呼気を交換することができる。呼気の収集後は、呼気収集シリンジの注射針（不図示。）をストップコック２２のシリンジ収集側２２４に差し込んで、測定器にかけて測定を行う。
【００３４】
＜本実施形態の呼気収集装置の構成の説明＞
図１以下を用いて、本実施形態の呼気収集装置の構成を説明する。図１に示すように、本実施形態の呼気収集装置は、呼気収集カバー１と呼気収集バッグ２を備える。
【００３５】
《呼気収集カバーの構成》
図２〜図４を用いて、呼気収集カバー１の構成について説明する。図２は、この呼気収集カバーの組み立て図である。呼気収集カバー１は、中空状のケース１０と、孔１１１を有するシリコンゴム１１と、シリコンゴム１１をケース１０に固定するためのリング状部材１２とを備える。また、呼気収集バッグ２と内部の気体を接続するためのホース１５を備える。これらを固定して接続するためのクランプ１３、１４を備える。以下、それぞれ説明する。
【００３６】
図３を用いて、図１、図２のケース１０について説明する。図３は、このケースの部品図である。ケース１０は、例えば、ポリカーボネート、プラスチックで作成する。ケース１０は、動物９９９の鼻、口に被せるケースである。右側の図は左側のＡ−Ａ断面となっている。図３に示すように、一点鎖線の中心線を中心とする中空状の部材で、開口面周囲に縁部となる外周部１０５を有する開口部１００と、この開口部１００の反対側の壁面に設けた空気孔１０２と、空気孔１０２の開口面の周囲にケース１０の内側へ突き出たつば部１０３とを備える。空気孔１０２には、図１、図２で示すホース１５を接続する。また、つば部１０３により、動物９９９の唾液が開口部１００から呼気収集バッグ２（図１参照。）に入らないようにすることができる。開口部１００付近の外周部１０５には、突起部１０１を備え、開口部１００とは逆側に突き出た引っ掛け部分を有しており、図２に示すクランプ１４を引っ掛ける。
【００３７】
図２に戻り、シリコンゴム１１について説明する。シリコンゴム１１は、動物９９９にの口先の形状をかたどった型紙（不図示。）に沿って、４角形のシリコンゴムに楕円の孔を開けて用いる。この孔は、成長した牛、馬であれば、いずれも１００ｍｍ×１１０ｍｍの楕円（縦長）とすることができる。子供の牛、馬であれば、９０ｍｍ×１００ｍｍの楕円（縦長）とすることができる。
【００３８】
このシリコンゴム１１は、単なるゴムでも代替できる。しかし、発明者の実験によれば、シリコンゴム１１の材料としては、その伸縮性と、何度も繰り返し動物９９９をこの孔１１１に挿入して破れないこと、透明であること等を考慮すれば、シリコンゴムが最適であった。なお、シリコンゴム１１が透明であることは、ケース１０が透明であることと同様、呼気収集カバー１の動物９９９への装着状態が目認できる点で好ましい。
【００３９】
図４を用いて、図１、図２に示すリング状部材１２について説明する。図４は、このリング状部材１２の部品図である。リング状部材１２は、例えば、ケース１０と同様、ポリカーボネート、プラスチック等で構成する。図４の右図は、図４の左図のＢ−Ｂ断面図である。リング状部材１２は、図４の右図の一点鎖線で示す中心線を中心とするリング状の部材で、断面が、くの字型をしている。リング状部材１２の内側の面１２２は、図２に示すシリコンゴム１１を介して、ケース１０の開口部１００の外周部１０５に当接する。また、図４に示すように、リング状部材１２は、リング状部材１２の外周に４つの突起部１２１を備えており、この突起部１２１は、リング状部材１２の面１２２が開放している方向と逆側へ反った、爪状の引っ掛け部となっている。このリング状部材１２の突起部１２１とケース１０の突起部１０１は、互いに対向する位置に設ける。
【００４０】
図２に戻り、ホース１５について説明する。ホース１５は、内部の気体を漏れなく接続できるものであればどのようなものでも良いが、図１に示すように呼気収集バッグ２を接続した場合の作業能率を考えると、柔軟性があるものが好ましい。例えば、ゴム製の蛇腹ホースで構成する。図２に示すようにホース１５の一端１５１は、ケース１０の空気孔１０２に、内部の気体が漏れないように接続し、もう一方の一端１５２は、ホース１５の直径が末広がりになるようにして、図１に示す呼気収集バッグ２のホース２３に被せて接続できるようにする。
【００４１】
図２のクランプ１３について説明する。クランプ１３は、リング状の針金で構成するホースクランプである。クランプ１３は、突起部１３１を互いに近接する方向に押し縮めると、クランプ１３のリングの直径が大きくなる。また、クランプ１３の突起部１３１を押し縮めるのを止めると、その金属の弾性によりリングの直径が小さくなり、リングの内側にあるホース等を締め付ける。クランプ１３は、ホース１５をケース１０の空気孔１０２に接続する。
【００４２】
図２のクランプ１４について説明する。クランプ１４は、クランプ１３と同一のホースクランプである。図２に示すように、クランプ１４の内側には開口部１００の突起部１０１とリング状部材１２の突起部１２１を挿入して、シリコンゴム１１をケース１０に付勢する。
【００４３】
なお、クランプ１４は、このようにシリコンゴム１１をケース１０に付勢する機能があればよく、弾性体、例えばゴムでこれら突起部１０１、１２１間を引っ掛けるものでも良い。ただし、部品の共用の観点からは、クランプ１３とクランプ１４は、同一部品である方が好ましい。
【００４４】
《呼気収集カバーの組み立て》
次に、以上で示した各部の構成の説明を用いて、図２の呼気収集カバー１の組み立てについて説明する。図３で示したケース１０の開口部１００に、孔１１１を設けたシリコンゴム１１を被せて、その上からリング状部材１２を被せる。図４で示すリング状部材１２の内側の面１２２の直径寸法と、図３で示すケース１０の開口部１００付近の外側の面１０５の直径は、シリコンゴム１１をはさんだ場合に、リング状部材１２が容易に抜けない寸法公差に設定する。これによりシリコンゴム１１をケース１０に仮止めできる。さらに、対向する位置に設けたケース１０の突起部１０１とリング状部材１２の突起部１２１をクランプ１４の円の内側に引っ掛ける。この引っ掛ける方法は、突起部１４１を互いに近接する方向に押し縮めてクランプ１４の直径を大きくし、突起部１０１、１２１を挿入することにより行う。
【００４５】
また、図２に示すクランプ１３の突起部１３１を押し縮めて、クランプ１３の直径を大きくし、このクランプ１３をホース１５の一端１５１に被せる。そして、ホース１５を空気孔１０２にねじ込んで接続し、クランプ１３の突起部１３１を放してホース１５を空気孔１０２に接続して固定する。なお、空気孔１０２とホース１５の当接部分は、互いにマイナス交差となっており、クランプ１３がなくとも空気孔１０２とホース１５は、手を放しても外れず、仮止めすることができるが、本装置は更にクランプ１３によりこの部分を固定している。
【００４６】
以上、図２を用いて説明したように、呼気収集カバー１は、クランプ１３、クランプ１４を外せば容易に分解でき、定期的な清掃や構成部品の交換を行うことができる。
【００４７】
《呼気収集バッグの構成》
次に、図５を用いて、図１で示した呼気収集バッグ２の構成について説明する。図５は、呼気収集バッグ２の組み立て図である。呼気収集バッグ２は、袋２１と袋２１のホース取り付け部２１１に取り付けるホース２３とキャップ２４と、袋２１のストップコック取り付け部２１２に取り付けるストップコック２２とを備える。以下、それぞれ説明する。
【００４８】
袋２１は、例えば、アルミ製の丈夫な袋で構成し、内容量は約１０リットルとする。成長した牛、馬の肺活量は約７〜８Ｌであることに対応している。袋２１にはホース取り付け部２１１とストップコック取り付け部２１２を備え、これらの取り付け部から内部に充填する気体を出入りさせ、これら取り付け部以外からは内部の気体が漏れないようにする。
【００４９】
ホース２３は、例えば図２で示した呼気収集バッグ２と同様の部材である蛇腹のゴムホースとすることができる。ホース２３の一端２３１とホース取り付け部２１１は、当接部分を互いにマイナス公差の関係に形成し、互いにねじ込んで接続する。また、クランプ１４をホース２３の一端２３１に被せてクランプ１４をホース取り付け部２１１に固定する。ホース２３の一端２３２は、ホース１５の一端１５２に挿入できる直径に設定する。ホース２３の一端２３２と、ホース１５の一端１５２は、後述のとおり、動物９９９の呼吸に合わせて容易に抜き差しする必要があるから、当接部分を互いにマイナス公差の関係に設定せず、単に空気が漏れないよう当接するようにする（後述、図６参照。）。
【００５０】
図５のキャップ２４は、ホース２３の一端２３２に被せるキャップである。図１に示すように、動物９９９の呼気を収集する場合にはキャップ２４は外しておく。しかし、以下の場合にはキャップ２４を被せる必要がある。即ち、袋２１にストップコック２２を介して酸素を注入する場合と、動物９９９の呼気を収集した後にその呼気の流出を防ぐ必要がある場合である。このようにキャップ２４を使用しない場合と使用する場合があるから、キャップ２４の紛失を防ぐため、ホース２３の一端２３２にはキャップ２４のリング２４１を被せる。
【００５１】
図５に示すストップコック２２は、内部の気体の流れの方向を変える弁である。コック２２１を回すことにより内部の気体の流れの方向を変えることができる。例えば、図５に示す方向にコック２２１のレバーを向けた場合には、酸素ボンベ側２２３と袋側２２２を接続できる。袋側２２２の接続部は、袋２１のストップコック取り付け部２１２との当接部がマイナス公差の関係に形成されており、ストップコック取り付け部２１２に袋側２２２をねじ込んで接続できるようにする。また、酸素ボンベ側２２３には酸素ボンベを接続し、ストップコック２２のシリンジ収集側２２４には図５の円中の断面図に示すようなキャップ２２５を接続する。注入口ゴム栓２２５は、中心部に突き通しの細い孔２２６が開いている。孔２２６からは通常は内部の気体は漏れないが、図示しない呼気収集シリンジの注入針を刺したときは、呼気収集バッグ２内部の呼気を収集できる。
【００５２】
《呼気収集バッグ２の組み立て》
以上、図５で説明した各部の構成の説明を用いて、呼気収集バッグ２の組み立て方法について説明する。ホース２３の一端２３１にクランプ１３の突起部１３１を押し縮めて、クランプ１３の直径を大きくしながらクランプ１３をはめ込む。この状態でホース２３を袋２１のホース取り付け部２１１に取り付けて、突起部１３１から手を放してホース２３を袋２１に固定する。また、ホース２３の一端２３２にキャップ２４のリング２４を被せる。キャップ２４は、使用状態に応じてホース２３の一端２３２に被せたり外したりする。袋２１のストップコック取り付け部２１２にストップコック２２の袋側２２２をねじ込む。
【００５３】
＜本実施形態の呼気収集装置の使用方法の説明＞
図１に戻り、本実施形態の呼気収集装置の使用方法について説明する。前述のとおり、本実施形態の呼気収集装置は、以上で説明した呼気収集カバー１と呼気収集バッグ２とを備える。以下の説明ではこれらを予め組み立てた状態のものがあるとして説明する。なお、シリコンゴム１１は、前述のとおり、動物９９９の鼻、口の大きさにあわせて切り取っておく。
【００５４】
《ＳＴＥＰ１（酸素注入）》
呼気収集バッグ２のキャップ２４を閉めて、ストップコック２２の酸素ボンベ側２２３を医療用酸素ボンベに接続する。コック２２１を図５に示す方向に向けると、酸素ボンベ側２２３と袋側２２２の内部とを接続できる。そして、図示しない医療用酸素ボンベを開き、袋２１に酸素を約１０Ｌ注入する。なお、袋２１に入れる気体は、酸素でなくとも空気でも良い。しかしながら、発明者の調査によれば、圧縮空気のコストは酸素より却って割高であり、また、酸素を用いた方が動物９９９が長く呼吸できるので、より高濃度の動物９９９の呼気を収集できることから、医療用酸素ボンベを使用するのが好ましい。
【００５５】
《ＳＴＥＰ２（酸素ボンベ側を閉じる）》
次に、ストップコック２２のコック２２１を回して酸素ボンベ側２２３から酸素が流出しないようにする。
【００５６】
《ＳＴＥＰ３（呼気収集カバーを被せる）》
呼気収集カバー１のケース１０を動物９９９の鼻と口に被せる。図１、図２に示すように、ケース１０には弾性体のシリコンゴム１１が張られているから、孔１１１が伸び縮みすることにより、いろいろな形状の動物９９９の鼻、口に密着させることができる。なお、ひだ１１２は、ケース１０の内部にあるのではなく、シリコンゴム１１（図２参照。）がリング状部材１２により成形され、その外側の余った部分を示している。
【００５７】
なお、動物９９９の唾液は、ケース１０の内部にたまり、ケース１０のつば部１０３により、ホース１５に唾液が流入するのを防ぐことができる。
【００５８】
《ＳＴＥＰ４（呼気収集カバーと呼気収集バッグを接続する）》
動物９９９の呼吸の様子を観察しながら、動物９９９が息を吐き終わったタイミングで呼気収集バッグ２のキャップ２４を開き、呼気収集カバー１のホース１５の一端１５２と呼気収集バッグ２のホース２３の一端２３２を接続する。吐き終わったタイミングで接続するのは、袋２１にはすでに酸素でいっぱいなので、動物９９９が空気を吸い終わった状態で呼気収集バッグ２を接続すれば呼気を吐くことができないからである。
【００５９】
一端１５２と一端２３２を接続した状態は図６に示すようになる。図６はこの接続状態を表す図である。動物９９９が息を吐き終わったタイミングを見計らうという、短い時間で接続するため、この部分の接続は、両手で接続面を単に付き合わせているだけである。
【００６０】
《ＳＴＥＰ５（酸素と呼気を交換する）》
呼気収集カバー１と呼気収集バッグ２を接続した状態で３０秒程度経過すると、動物９９９の呼吸によりこの酸素と動物９９９の呼気を交換することができる。その後、呼気収集カバー１のホース１５と呼気収集バッグ２のホース２３とを離して、キャップ２４を被せる。
【００６１】
《ＳＴＥＰ６（測定器にかける）》
呼気の収集後は、呼気収集シリンジの注射針（不図示。）をストップコック２２に差し込んで、呼気を収集して、測定器にかけて測定を行う。
【００６２】
なお、動物９９９が子牛、子馬等、肺活量が小さい場合には、呼気の流れが、ケース１０にとどまり、袋２１まで届かず、袋２１の内部の酸素と呼気を交換することが十分できない。そこで、ケース１０に入る空気の容積を小さくするための部材、例えば空気袋等をケース１０に入れて、ケース１０の容積を小さくする。これにより、子牛、子馬等のように少ない肺活量でも袋２１内の酸素と呼気とを交換できる。
【図面の簡単な説明】
【００６３】
【図１】本実施形態の呼気収集装置の全体構成図
【図２】本実施形態の呼気収集装置の呼気収集カバーの組み立て図
【図３】本実施形態の呼気収集装置のケースの部品図
【図４】本実施形態の呼気収集装置のリング状部材の部品図
【図５】本実施形態の呼気収集装置の呼気収集バッグの組み立て図
【図６】本実施形態の呼気収集装置の呼気収集カバーと呼気収集バッグの接続図
【符号の説明】
【００６４】
１−呼気収集カバー、  １０−ケース、  １００−開口部
１０１−突起部、  １０２−空気孔、  １０３−つば部、  １０５−外周部
１１−シリコンゴム、  １１１−孔、  １１２−ひだ
１２−リング状部材、  １２１−突起部
１３−クランプ、  １４−クランプ
１５−ホース
２−呼気収集バッグ、  ２１−袋、  ２１１−ホース取り付け部
２２１−コック、  ２２２−袋側、  ２２３−酸素ボンベ側
２２４−シリンジ収集側、  ２２５−注入口ゴム栓、  ２２６−孔
２２−ストップコック、  ２３−ホース、  ２４−キャップ
９９９−動物
【図１】
2007175149.tif 000003
【図２】
2007175149.tif 000004
【図３】
2007175149.tif 000005
【図４】
2007175149.tif 000006
【図５】
2007175149.tif 000007
【図６】
2007175149.tif 000008